(57)【特許請求の範囲】
【請求項１】
植栽コンテナであって、同じ構造を有する複数の植栽コンテナを用いて立体的に積み重ね、複数の植栽コラムを形成するのに適し、前記植栽コラムを重力方向に平行な中心線の周りに配置することによって植栽タワーを設置し、前記植栽コンテナが、
底壁と、
前記底壁の周辺から延伸して、前記底壁とともに収容空間を定義し、且つ前記収容空間と連通する植栽開口を有する側壁と
を含み、前記側壁が、上端および下端を有し、前記下端が前記上端よりも前記底壁に近く、同じ構造を有する２つの前記植栽コンテナが互いに立体的に積み重ねられた時、上部の前記植栽コンテナの前記下端が、下部の前記植栽コンテナの前記上端と係合し、
前記側壁が、前記底壁と相対的に前記中心線に向かって横に傾斜するため、前記植栽コラムが、隣接する前記植栽コラムに向かって傾斜し、且つ前記中心線に向かって傾斜する植栽コンテナ。
【請求項２】
前記底壁が、複数の排水穴を有する請求項１に記載の植栽コンテナ。
【請求項３】
前記下端が、ステップ構造を有し、同じ構造を有する２つの前記植栽コンテナが互いに立体的に積み重ねられた時、上部の前記植栽コンテナ及び下部の前記植栽コンテナが、前記ステップ構造を介して係合する請求項１に記載の植栽コンテナ。
【請求項４】
前記植栽開口が、前記上端に延伸し、同じ構造を有する２つの前記植栽コンテナが互いに立体的に積み重ねられた時、上部の前記植栽コンテナの前記側壁が、下部の前記植栽コンテナの前記植栽開口と重なり合い、前記植栽開口の前記収容空間と連通する領域を定義する請求項１に記載の植栽コンテナ。
【請求項５】
前記側壁に接続され、前記植栽開口と連通する保持カップ
をさらに含む請求項１に記載の植栽コンテナ。
【請求項６】
前記側壁が、前部、第１側部、第２側部および後部を有し、前記前部が、前記後部と向かい合い、前記第１側部が、前記前部の一側と前記後部の一側を接続し、前記第２側部が、前記前部の他側と前記後部の他側を接続し、前記第１側部および前記第２側部の両方が、前記第１側部から前記第２側部に向かう方向に沿って前記底壁と相対的に傾斜するため、前記植栽コラムが隣接する前記植栽コラムに向かって傾斜し、前記前部および前記後部の両方が、前記前部から前記後部に向かう方向に沿って前記底壁と相対的に傾斜するため、前記植栽コラムが前記中心線に向かって傾斜する請求項１に記載の植栽コンテナ。
【請求項７】
前記側壁が、導管を延伸および通過させる第１導管ノッチおよび第２導管ノッチを有し、前記第１導管ノッチが、前記第１側部に設置されて前記上端に延伸し、前記第２導管ノッチが、前記第２側部に設置されて前記上端に延伸し、前記第１導管ノッチの下端が、前記第２導管ノッチの下端よりも前記底壁に近く、同じ構造を有する２つの前記植栽コンテナが互いに立体的に積み重ねられた時、上部の前記植栽コンテナの前記側壁が、下部の前記植栽コンテナの前記第１導管ノッチおよび前記第２導管ノッチと重なり合い、前記第１導管ノッチおよび前記第２導管ノッチによって前記導管を延伸および通過させるために用いる領域を定義する請求項６に記載の植栽コンテナ。
【請求項８】
前記上端に相対する前記第１導管ノッチの前記上端に相対する深度が、前記第２導管ノッチの前記上端に相対する深度よりも大きい請求項７に記載の植栽コンテナ。
【請求項９】
重力方向に平行な中心線の周りに配置され、それぞれが、同じ構造を有する互いに立体的に積み重ねられた複数の植栽コンテナを含む複数の植栽タワーであって、
前記各植栽コンテナが、
底壁と、
前記底壁の周辺から延伸して、前記底壁とともに収容空間を定義し、且つ前記収容空間と連通する植栽開口を有する側壁と
を含み、前記側壁が、上端および下端を有し、前記下端が前記上端よりも前記底壁に近く、同じ構造を有する２つの前記植栽コンテナが互いに立体的に積み重ねられた時、上部の前記植栽コンテナの前記下端が、下部の前記植栽コンテナの前記上端と係合し、
前記側壁が、前記底壁と相対的に前記中心線に向かって横に傾斜するため、前記植栽コラムが、隣接する前記植栽コラムに向かって傾斜し、且つ前記中心線に向かって傾斜する植栽タワー。
【請求項１０】
前記底壁が、複数の排水穴を有する請求項９に記載の植栽タワー。
【請求項１１】
前記下端が、ステップ構造を有し、同じ構造を有する２つの前記植栽コンテナが互いに立体的に積み重ねられた時、前記上部植栽コンテナが、前記ステップ構造を介して前記下部植栽コンテナと係合する請求項９に記載の植栽タワー。
【請求項１２】
前記植栽開口が、前記上端に延伸し、同じ構造を有する２つの前記植栽コンテナが互いに立体的に積み重ねられた時、上部の前記植栽コンテナの前記側壁が、下部の前記植栽コンテナの前記植栽開口と重なり合い、前記植栽開口の前記収容空間と連通する領域を定義する請求項９に記載の植栽タワー。
【請求項１３】
前記植栽コンテナが、
前記側壁に接続され、前記植栽開口と連通する保持カップ
をさらに含む請求項９に記載の植栽タワー。
【請求項１４】
前記側壁が、前部、第１側部、第２側部および後部を有し、前記前部が、前記後部と向かい合い、前記第１側部が、前記前部の一側と前記後部の一側を接続し、前記第２側部が、前記前部の他側と前記後部の他側を接続し、前記第１側部および前記第２側部の両方が、前記第１側部から前記第２側部に向かう方向に沿って前記底壁と相対的に傾斜するため、前記植栽コラムが隣接する前記植栽コラムに向かって傾斜し、前記前部および前記後部の両方が、前記前部から前記後部に向かう方向に沿って前記底壁と相対的に傾斜するため、前記植栽コラムが前記中心線に向かって傾斜する請求項９に記載の植栽タワー。
【請求項１５】
前記植栽コンテナに延伸して前記植栽コンテナを通過し、植栽用液体物質を注入する導管
をさらに含み、前記側壁が、前記導管を延伸および通過させる第１導管ノッチおよび第２導管ノッチを有し、前記第１導管ノッチが、前記第１側部に設置されて前記上端に延伸し、前記第２導管ノッチが、前記第２側部に設置されて前記上端に延伸し、前記第１導管ノッチの下端が、前記第２導管ノッチの下端よりも前記底壁に近く、同じ構造を有する２つの前記植栽コンテナが互いに立体的に積み重ねられた時、上部の前記植栽コンテナの前記側壁が、下部の前記植栽コンテナの前記第１導管ノッチおよび前記第２導管ノッチと重なり合い、前記第１導管ノッチおよび前記第２導管ノッチによって前記導管を延伸および通過させるために用いる領域を定義する請求項９に記載の植栽タワー。
【請求項１６】
前記上端に相対する前記第１導管ノッチの深度が、前記上端に相対する前記第２導管ノッチの深度よりも大きいため、前記導管の前記同じ植栽コンテナを通過する部分が重力方向に向かって傾斜する請求項１５に記載の植栽タワー。
【請求項１７】
前記植栽コラムを設置するためのベース
をさらに含む請求項９に記載の植栽タワー。
【請求項１８】
前記植栽コンテナに延伸して前記植栽コンテナを通過し、植栽用液体物質を注入する導管
をさらに含む請求項９に記載の植栽タワー。
【請求項１９】
前記導管が、螺旋状に延伸して前記植栽コンテナを通過する請求項１８に記載の植栽タワー。
【請求項２０】
前記植栽コラムが、さらに、
対応する前記植栽コンテナの前記底部に接続されて対応する前記植栽コラムの高さを増やす底フレーム
を含む請求項９に記載の植栽タワー。
【発明の詳細な説明】
【技術分野】
【０００１】
本発明は、立体（three-dimensional）植栽に適用する植栽コンテナ（planting container）および植栽タワー（planting tower）に関するものである。
【背景技術】
【０００２】
現代の農業技術は着実にレベルを上げ、農業製品の質と量を向上させている。農業製品の生産力を上げるため、限られた植栽面積において、植栽の品種を改良するだけでなく、植栽の方法を変える方法もある。日照時間が短く、植栽可能面積が小さい植栽領域では、有効な平面植栽モードを立体植栽モードに変更することによって、日光の利用率を上げ、植栽面積の利用率を増やすことができる。そのため、日照時間が短く、植栽可能面積が小さい植栽領域については、立体植栽用の道具に対する要求が高い。
【発明の概要】
【発明が解決しようとする課題】
【０００３】
本発明は、立体植栽に適用する植栽コンテナを提供する。
【０００４】
本発明は、立体植栽に適用する植栽タワーを提供する。
【課題を解決するための手段】
【０００５】
本発明は、植栽コンテナを提供する。植栽コンテナは、同じ構造を有する複数の植栽コンテナを用いて立体的に積み重ね、複数の植栽コラム（planting column）を形成するのに適している。植栽コラムを重力方向に平行な中心線の周りに配置することによって、植栽タワーを設置する。植栽コンテナは、底壁および側壁を含む。側壁は、底壁の周辺から延伸し、底壁とともに収容空間を定義する。側壁は、収容空間と連通する植栽開口を有する。側壁は、上端および下端を含み、下端は、上端よりも底壁に近い。同じ構造を有する２つの植栽コンテナが互いに立体的に積み重ねられた時、上部植栽コンテナの下端は、下部植栽コンテナの上端と係合する。側壁は、底壁と相対的に中心線に向かって横に傾斜するため、植栽コラムは、隣接する植栽コラムに向かって傾斜し、且つ中心線に向かって傾斜する。
【０００６】
本発明は、また、植栽タワーを提供する。植栽タワーは、重力方向に平行な中心線の周りに配置された複数の植栽コラムを含む。各植栽コラムは、互いに立体的に積み重ねられた同じ構造を有する複数の植栽コンテナを含む。各植栽コンテナは、底壁および側壁を含む。側壁は、底壁の周辺から延伸し、底壁とともに収容空間を定義する。側壁は、収容空間と連通する植栽開口を有する。側壁は、上端および下端を含み、下端は、上端よりも底壁に近い。同じ構造を有する２つの植栽コンテナが互いに立体的に積み重ねられた時、上部植栽コンテナの下端は、下部植栽コンテナの上端と係合する。側壁は、底壁と相対的に中心線に向かって横に傾斜するため、植栽コラムは、隣接する植栽コラムに向かって傾斜し、且つ中心線に向かって傾斜する。
【発明の効果】
【０００７】
以上のように、本発明は、同じ構造を有する複数の植栽コンテナを互いに立体的に積み重ねて複数の植栽コラムを形成し、植栽コラムを重力方向に平行な中心線の周りに配置することによって、植栽タワーを設置する。植栽コンテナの傾斜設計によって、各植栽コラムが隣接する植栽コラムに向かって傾斜し、且つ植栽コラムが中心線に向かって傾斜するため、植栽タワーの構造安定性を向上させ、日光の利用率を増やすことができる。
【０００８】
本発明の上記および他の目的、特徴、および利点をより分かり易くするため、図面と併せた幾つかの実施形態を以下に説明する。
【図面の簡単な説明】
【０００９】
【図１】本発明の１つの実施形態に係る植栽タワーの斜視図である。
【図２】図１の植栽タワーの拡大上面図である。
【図３】図１の植栽タワーの正面図である。
【図４】図１の植栽コンテナの拡大上面図である。
【図５】図４の植栽コンテナの上面図である。
【図６】図４の植栽コンテナの底面図である。
【図７】図４の植栽コンテナの正面図である。
【図８】図４の植栽コンテナの左側面図である。
【図９】図１の植栽コラムの正面図である。
【図１０】図９の植栽コラムの左側面図である。
【発明を実施するための形態】
【００１０】
図１は、本発明の１つの実施形態に係る植栽タワーの斜視図であり、図２は、図１の植栽タワーの拡大上面図である。図１および図２を参照すると、本実施形態の植栽タワー１０は、重力方向に平行な中心線Ｌの周りに配置された複数の植栽コラム１２を含み、各植栽コラム１２は、同じ構造を有し、且つ互いに立体的に積み重ねられた複数の植栽コンテナ１００を含む。本実施形態において、植栽コンテナ１００は、射出成形法で大量生産し、生産コストを下げることができる。
【００１１】
本実施形態において、植栽タワー１０は、さらに、植栽コラム１２を設置するためのベース１４を含む。植栽コンテナ１００の傾斜設計によって、各植栽コラム１２は、隣接する植栽コラム１２に向かって傾斜するだけでなく、中心線Ｌに向かっても傾斜する。このように配置された植栽コラム１２は、多角錐に似た外観を有する。
【００１２】
図３は、図１の植栽タワーの正面図である。図１および図３を参照すると、植栽タワー１０は、さらに、導管１６を含み、導管１６は、植栽コンテナ１００に延伸して植栽コンテナ１００を通過し、例えば、液状水等の植栽液状物質を注入する。重力を利用して導管１６で植栽コンテナ１００に植栽液状物質を注入するため、導管１６は、植栽コラム１２の上部から植栽コラム１２の底部まで螺旋状に延伸するよう設計される。このようにして、導管１６が全ての植栽コンテナ１００に延伸して植栽コンテナ１００を通過し、植栽液状物質を注入する。
【００１３】
本実施形態において、植栽コラム１２は、さらに、１つまたは複数の底フレーム１２ａを含んでもよい。底フレーム１２ａは、対応する植栽コンテナ１００の底部に接続されて対応する植栽コラム１２の高さを増やし、導管１６が植栽コラム１２の上部から植栽コラム１２の底部まで螺旋状に延伸できるようにする。
【００１４】
図４は、図１の植栽コンテナの拡大上面図であり、図５は、図４の植栽コンテナの上面図であり、図６は、図４の植栽コンテナの底面図である。図４〜図６を参照すると、植栽コンテナ１００は、底壁１１０および側壁１２０を含む。側壁１２０は、底壁１１０の周辺から延伸し、底壁１１０とともに収容空間１１５を定義して、植栽媒体を収容する。側壁１２０は、さらに、収容空間１１５と連通して植物を育てるための植栽開口１２０ａを有する。本実施形態において、底壁１１０は、さらに、過剰な植栽用液体物質を排水するための１つまたは複数の排水穴１１０ａを有する。植栽コンテナ１００は、さらに、側壁１２０に接続し、植栽開口１２０ａと連通する保持カップ１３０を含む。
【００１５】
図７は、図４の植栽コンテナの正面図であり、図８は、図４の植栽コンテナの左側面図である。図４、図７および図８を参照すると、側壁１２０は、上端１２１および下端１２２を有する。下端１２２は、上端１２１よりも底壁１１９に近い。同じ構造を有する２つの植栽コンテナ１００が互いに立体的に積み重ねられた時、上部植栽コンテナ１００の下端１２２は、下部植栽コンテナ１００の上端１２１と係合する。
【００１６】
本実施形態において、下端１２２は、ステップ構造１２２ａを有してもよい。同じ構造を有する２つの植栽コンテナ１００が互いに立体的に積み重ねられた時、上部植栽コンテナ１００は、ステップ構造１２２ａを介して下部植栽コンテナ１００と係合する。また、植栽開口１２０ａは、上端１２１に延伸してもよい。同じ構造を有する２つの植栽コンテナ１００が互いに立体的に積み重ねられた時、上部植栽コンテナ１００の側壁１２０は、下部植栽コンテナ１００の植栽開口１２０ａと重なり合い、植栽開口１２０ａの収容空間１１５と連通する領域を定義する。
【００１７】
図７および図８を再度参照すると、側壁１２０は、前部１２３と、第１側部１２５と、第２側部１２６と、後部１２４とを有する。前部１２３は、後部１２４と向かい合い、第１側部１２５は、前部１２３の一側と後部１２４の一側を接続し、第２側部１２６は、前部１２３の他側と後部１２４の他側を接続する。
【００１８】
図９は、図１の植栽コラムの正面図である。図７および図９を参照すると、植栽コラム１２を隣接する植栽コラム１２に向かって傾斜させるため、側壁１２０は、底壁１１０と相対的に横に傾斜する。本実施形態において、第１側部１２５および第２側部１２６の両方は、第１側部１２５から第２側部１２６に向かう方向に沿って底壁１１０と相対的に傾斜するため、側壁１２０は、底壁１１０と相対的に横に傾斜する。
【００１９】
図１０は、図９の植栽コラムの左側面図である。図８および図１０を参照すると、植栽コラム１２を中心線Ｌ（図１および図３に示す）に向かって傾斜させるために、側壁１２０は、中心線Ｌに向かって傾斜する。本実施形態において、前部１２３および後部１２４の両方は、前部１２３から後部１２４に向かう方向に沿って底壁１１０と相対的に傾斜するため、側壁１２０は、中心線Ｌに向かって傾斜する。
【００２０】
図２および図４を参照すると、本実施形態において、導管１６を植栽コンテナ１００に延伸および通過させて植栽用液体物質を注入するため、側壁１２０は、導管１６を延伸および通過させる第１導管ノッチ１２７および第２導管ノッチ１２８を有してもよい。第１導管ノッチ１２７は、第１側部１２５に設置されて上端１２１に延伸し、第２導管ノッチ１２８は、第２側部１２６に設置されて上端１２１に延伸する。第１導管ノッチ１２７の下端は、第２導管ノッチ１２８の下端よりも底壁１１０に近い。このようにして、同じ構造を有する２つの植栽コンテナ１００が互いに立体的に積み重ねられた時、上部植栽コンテナ１００の側壁１２０は、下部植栽コンテナ１００の第１導管ノッチ１２７および第２導管ノッチ１２８と重なり合い、第１導管ノッチ１２７および第２導管ノッチ１２８によって導管１６を延伸および通過させるために用いる領域を定義する。
【００２１】
本実施形態において、上端１２１に相対する第１導管ノッチ１２７の深度は、上端１２１に相対する第２導管ノッチ１２８の深度よりも大きいため、導管１６の同じ植栽コンテナ１００を通過する部分は、重力方向に向かって傾斜することができ、導管１６に植栽用液状物質をスムーズに注入することができる。
【００２２】
以上のように、本発明は、同じ構造を有する植栽コンテナ１００を互いに立体的に積み重ねて複数の植栽コラムを形成し、植栽コラムを重力方向に平行な中心線の周りに配置して植栽タワーを設置する。植栽コンテナの傾斜設計によって、各植栽コラムが隣接する植栽コラムに向かって傾斜し、且つ植栽コラムが中心線に向かって傾斜するため、植栽タワーの構造安定性を向上させ、日光の利用率を増やすことができる。
【００２３】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【産業上の利用可能性】
【００２４】
本発明は、植栽タワーの構造安定性を向上させ、日光の利用率を増やすことのできる立体植栽に適用する植栽コンテナおよび植栽タワーを提供する。
【符号の説明】
【００２５】
１０    植栽タワー
１２    植栽コラム
１２ａ    底フレーム
１４    ベース
１６    導管
１００    植栽コンテナ
１１０    底壁
１１０ａ    排水穴
１２０    側壁
１２０ａ    植栽開口
１２１    上端
１２２    下端
１２２ａ    ステップ構造
１２３    前部
１２４    後部
１２５    第１側部
１２６    第２側部
１２７    第１導管ノッチ
１２８    第２導管ノッチ
１３０    保持カップ
【図１】
0005409885.tif 000002
【図２】
0005409885.tif 000003
【図３】
0005409885.tif 000004
【図４】
0005409885.tif 000005
【図５】
0005409885.tif 000006
【図６】
0005409885.tif 000007
【図７】
0005409885.tif 000008
【図８】
0005409885.tif 000009
【図９】
0005409885.tif 000010
【図１０】
0005409885.tif 000011